(57)【要約】【課題】  電気工事において作業現場まで資材や道具を収容して持ち運ぶためのバッグに関し、作業の準備時間を短縮すると共に必要な道具の収容漏れを防止する。【解決手段】可撓性素材よりなる折り畳み自在のバッグ１０と、上記バッグの底面に固着される剛性素材よりなる筐体１からなり、上記筐体内にはコードリール４によりコード３が伸縮する電源プラグ２、電源プラグに電気的に接続されると共に挿入口が筐体の表面に露出するコンセント６、電源プラグに電気的に接続されると共に照射面が筐体の外側に指向する照明灯８を収容する。【選択図】      図１
0003131858.tif 000002
【実用新案登録請求の範囲】
【請求項１】
可撓性素材よりなる折り畳み自在のバッグと、上記バッグの底面に固着される剛性素材よりなる筐体からなり、上記筐体内にはコードリールによりコードが伸縮する電源プラグ、電源プラグに電気的に接続されると共に挿入口が筐体の表面に露出するコンセント、電源プラグに電気的に接続されると共に照射面が筐体の外側に指向する照明灯が収容されることを特徴とする工事用作業バッグ。
【請求項２】
バッグには履物を入れるためのポケットが設けられる請求項１記載の工事用作業バッグ。
【請求項３】
筐体内には工具を収容可能な部屋が設けられる請求項１または２記載の工事用作業バッグ。
【請求項４】
照明灯は筐体に対し脱着自在に設けられると共に、コードが延長可能に構成される請求項１から３のいずれかに記載の工事用作業バッグ。
【請求項５】
筐体の裏面にはキャスターが設けられると共に、筐体を牽引するためのハンドルを筐体に対して伸縮自在に設けた請求項１から４のいずれかに記載の工事用作業バッグ。
【請求項６】
電源プラグからの通電回路中に漏電ブレーカーを設けた請求項１から５のいずれかに記載の工事用作業バッグ。
【請求項７】
内蔵した電池により点灯可能な光源を設けた請求項１から６のいずれかに記載の工事用作業バッグ。
【請求項８】
電池は電源プラグからの通電回路中に設けた充電回路により充電可能とした請求項７記載の工事用作業バッグ。
【考案の詳細な説明】
【技術分野】
【０００１】
この考案は電気工事において作業現場まで資材や道具を収容して持ち運ぶためのバッグに関し、より詳細には作業の準備時間を短縮すると共に必要な道具の収容漏れを防止することを可能とした工事用作業バッグに関する。
【背景技術】
【０００２】
電気工事に際しては作業現場までケーブルや各種の電気部材を工事に必要な道具と共に持ち込まなければならず、そのためにこれらを可撓性素材よりなるバッグに収容して持ち運んでいた。
【０００３】
また、バッグに収容する道具とは別に、離隔した箇所から電源を手元にとるための電源用プラグとコンセントを備えたコードリールや、作業場所が暗い場合に周囲を照らすための照明灯も同時に持ち運ばなくてはならなかった。これに関しては、剛性素材よりなる工具箱内にコードリールを予め収容した考案や、照明灯を収容した考案が提案されていた。
【０００４】
【特許文献１】特開平１０−３３７６８０号公報
【特許文献２】特開平７−３３６８５８号公報
【考案の開示】
【考案が解決しようとする課題】
【０００５】
前記した電源用のコードリールや照明灯は電気工事に不可欠なものであり、万が一これらの携帯漏れがあると現場での作業が不能になるおそれがあった。また、電気工事にはその他にも各種の道具が必要であり、作業現場に行くたびに事前にこれらのものを作業バッグに収容しなくてはならず、その準備が煩雑であった。また、往々にして以上の道具を現場に置き忘れることもあり、その場合は次回の作業に支障をきたすおそれがあった。
【０００６】
一方、剛性素材よりなる工具箱内にコードリールを予め収容した前記の考案においては、少なくとも道具中の工具とコードリールは常に一緒に携帯されることとなるが、本来独立して携帯されるコードリールを工具箱に収容するので、工具箱の容積がその分減少して収容力が低下するという問題が生じた。また、同じく工具箱内に照明灯を収容した考案においても同様の問題を生じた。よって、仮に工具箱内に本来独立して携帯される道具を予め収容するとしてもその数は１つが限界であり、それとても工具箱の本来の収容力を減殺する結果となった。この場合、工具箱の容積を大きくすれば収容力は増大するが、今度は現場での取り回しに難が生じることとなり実用的ではなかった。
【課題を解決するための手段】
【０００７】
この考案は以上の従来技術の問題点を解消した工事用作業バッグを提供することを目的として創作されたものであり、可撓性素材よりなる折り畳み自在のバッグと、上記バッグの底面に固着される剛性素材よりなる筐体からなり、上記筐体内にはコードリールによりコードが伸縮する電源プラグ、電源プラグに電気的に接続されると共に挿入口が筐体の表面に露出するコンセント、電源プラグに電気的に接続されると共に照射面が筐体の外側に指向する照明灯が収容されることを特徴とする。
【考案の効果】
【０００８】
よって、この考案の工事用作業バッグによれば、予め作業バッグにコードリール、コンセント、照明灯が設けられているので、作業現場に行くに際してこれらの携帯忘れや現場での置き忘れがなく、作業の準備時間が大幅に短縮でき、しかも直ちに作業を開始できるので作業効率も向上することとなる。
【０００９】
一方、前記のコードリール、コンセント、照明灯は作業バッグとは別に、その底面に固着される筐体内に収容されるので、作業バッグの本来の収容力を減殺することがない。そして、作業バッグは可撓性素材により折り畳み自在に構成され、現場で必要な資材や道具を取り出した後は折り畳むことにより体積が収縮するので、コードリール、コンセント、照明灯を収容したことにより大型化して現場での取り回し性が悪くなることがない。
【考案を実施するための最良の形態】
【００１０】
以下、この考案の工事用作業バッグの具体的実施例を添付図面に基づいて説明する。図１〜図４はこの考案の工事用作業バッグの第１実施例を示す図である。図中符号１はバッグであり、布や合成樹脂地などの可撓性素材により上面開放の折り畳み自在（図３参照）の袋状に構成される。なお、図中符号１１は上記バッグを持ち運ぶための提げ手である。
【００１１】
図中符号１は筐体である。この筐体は例えばプラスチック等の剛性素材により構成されるものであり、前記のバッグ１０の底面に固着される。この実施例においては上記筐体の中央に工具を収容可能な部屋Ｓを設けている。この部屋Ｓは筐体１の天板中に蓋体（図示せず）を設けることにより開閉するが、蓋体は筐体の周側に設けてもよいことは勿論であである。
【００１２】
図中符号８は照明灯であり、照射面が筐体１の外側に指向するよう筐体に収容される（図１、４参照）。なお、図においては照明灯８は筐体の正面に配されているが、その位置はこれに限られないことは勿論である。なお、上記照明灯８を筐体１に対し脱着自在に設けると共に、コード９を延長可能（例えば３メートル程度）とすることにより、手元まで引き寄せて使用できるようにしてもよい（図４の仮想線部参照）。
【００１３】
図中符号２は外部のコンセントに挿通することにより給電するための電源プラグである（図１、４参照）。この電源プラグ２はコード３が筐体１内に収容されるコードリール４により伸縮自在とされる。この実施例においてはコードリール４はスプリングによりコードに対して巻き取り方向のテンションが加わる自動巻き取り式のものを採用している。図中符号５は、テンションに対するストッパーの解除を行うことによりコードリール４による巻き取りを許すための解除摘まみである（図２、４参照）。なお、図においては電源プラグ２の取り出し口は筐体の側面後方に配されているが、その位置はこれに限られないことは勿論である。
【００１４】
図中符号６は前記の電源プラグ２に電気的に接続されると共に、挿入口が筐体の表面に露出するコンセントである（図２、４参照）。この実施例においてはコンセント６はアース口付きのものと、アース口無しのものをそれぞれ１つづつ配しているが、個数及び種類はこれらに限られないことは勿論である。なお、図においてはコンセント６は筐体の側面後方に配されているが、その位置はこれに限られないことは勿論である。
【００１５】
図中符号７は前記の照明灯８の点滅を行うためのスイッチである（図２、４参照）。図においてはスイッチ７は筐体の側面後方に配されているが、その位置はこれに限られないことは勿論である。
【００１６】
図５はこの考案の工事用作業バッグの第２実施例を示す図である。この実施例においてはバッグ１０の両側に作業現場で履く上履きを収容するためのポケット２０、２０を設けており、その余の構成は前記第１実施例の場合と同様である。なお、ポケット２０の位置及び個数はこれに限られないことは勿論である。
【００１７】
図６はこの考案の工事用作業バッグの第３実施例を示す図である。この実施例においては筐体１の裏面にはキャスター３０、３０が設けられると共に、筐体を牽引するためのハンドル３１が筐体に対して伸縮自在に設けられており、その余の構成は前記第１実施例の場合と同様である。
【００１８】
図７はこの考案の工事用作業バッグの電気回路の第１実施例を示す図である。電源プラグ２は照明灯８のランプ、コンセント６、６と並列に接続され、照明灯８に至る回路にはスイッチ７が介在される。
【００１９】
図８はこの考案の工事用作業バッグの電気回路の第２実施例を示す図である。この実施例においては電源プラグ２からの回路中に漏電や過電流に備えるための漏電ブレーカー４０が設けられる。この実施例の回路のその余の構成は前記第１実施例の場合と同様である。
【００２０】
図９はこの考案の工事用作業バッグの電気回路の第２実施例を示す図である。この実施例においては、前記した第１実施例の回路の他に、１００ボルトの電源が存しない現場でも照明を得られるように、内蔵した電池５１により点灯する光源５０（ここではＬＥＤを採用している）とそれを点滅するためのスイッチ５２を配した回路を設けている。なお、この場合、電源プラグからの通電回路中に充電回路（図示せず）を設け、これにより電池を充電可能としてもよい（図示せず）。
【図面の簡単な説明】
【００２１】
【図１】この考案の工事用作業バッグの第１実施例の斜視図。
【図２】同上、異なる角度から観察した斜視図。
【図３】同上、折り畳んだ状態の斜視図。
【図４】同上、断面図。
【図５】この考案の工事用作業バッグの第２実施例の斜視図。
【図６】この考案の工事用作業バッグの第３実施例の底面図。
【図７】この考案の工事用作業バッグの電気回路の第１実施例の回路図。
【図８】この考案の工事用作業バッグの電気回路の第２実施例の回路図。
【図９】この考案の工事用作業バッグの電気回路の第３実施例の回路図。
【符号の説明】
【００２２】
１              筐体
２              電気プラグ
４              コードリール
６              コンセント
８              照明灯
１０            バッグ
２０            ポケット
【図１】
0003131858.tif 000003
【図２】
0003131858.tif 000004
【図３】
0003131858.tif 000005
【図４】
0003131858.tif 000006
【図５】
0003131858.tif 000007
【図６】
0003131858.tif 000008
【図７】
0003131858.tif 000009
【図８】
0003131858.tif 000010
【図９】
0003131858.tif 000011